(57)【要約】【課題】自動車の音響や空調機器等の操作に用いられる照光装置に関し、簡易な構成で、均一な照光が可能なものを提供することを目的とする。【解決手段】略筒状の導光体４内に挿入された操作体１３の下方外周に、反射部１３Ｂを設けて照光装置を構成することによって、発光体６により反射部１３Ｂ外周全体が照光され、この光が反射して導光体４の外周全体を照光するため、発光体６の数が少なくても、操作体１３外周の均一な照光が可能な照光装置を得ることができる。【選択図】図１
2005216798.tif 000002
【特許請求の範囲】
【請求項１】
回転または押圧操作型電子部品と、この電子部品の上方へ突出する可動軸に装着された操作体と、この操作体の外周を覆う略筒状の導光体と、この導光体の下方に配置された発光体からなり、上記操作体の下方外周に反射部を設けた照光装置。
【請求項２】
反射部を凹凸状に形成した請求項１記載の照光装置。
【発明の詳細な説明】
【技術分野】
【０００１】
本発明は、主に自動車の音響や空調機器等の操作に用いられる照光装置に関するものである。
【背景技術】
【０００２】
近年、車室内のフロントパネル部に、複数の回転または押圧操作型電子部品を備えた照光装置を配置し、夜間でもオーディオやエアコン等の各種電子機器の操作が可能なようにしたものが増えている。
【０００３】
このような従来の照光装置について、図４を用いて説明する。
【０００４】
図４は従来の照光装置の断面図であり、同図において、１は上下面に複数の導電パターン（図示せず）が形成された配線基板で、この上面には回転または押圧操作型のスイッチや可変抵抗器等の、回転または押圧操作型電子部品（以下、電子部品と記載する）２が実装されている。
【０００５】
また、３は黒色や暗灰色等の暗色で絶縁樹脂製の操作体、４は略筒状の光透過性で絶縁樹脂製の導光体で、操作体３の下面中央部が電子部品２の上方へ突出する可動軸２Ａに装着されると共に、この操作体３外周を導光体４が覆っている。
【０００６】
さらに、導光体４がねじ等によってケース５に取付けられると共に、導光体４下方の配線基板１上面には、発光ダイオード等の複数の発光体６が左右に配置されて照光装置が構成されている。
【０００７】
そして、このような照光装置は車室内のフロントパネル部に装着されると共に、電子部品２や発光体６が配線基板１を介して、オーディオやエアコン等の各種電子機器や、自動車の電子回路（図示せず）に電気的に接続される。
【０００８】
以上の構成において、操作体３を回転または押圧操作すると、可動軸２Ａが回転または上下動して電子部品２が電気的に動作し、例えば、オーディオの音量やエアコンの温度等の切換えが行われる。
【０００９】
また、この時、左右の発光体６が発光し、この光が導光体４を通って操作体３の外周を照光するため、夜間等の周囲が暗い場合でも、操作体３の位置や操作量が確認し易いように構成されているものであった。
【００１０】
なお、この出願の発明に関連する先行技術文献情報としては、例えば、特許文献１が知られている。
【特許文献１】特開平８−７７８６７号公報
【発明の開示】
【発明が解決しようとする課題】
【００１１】
しかしながら、上記従来の照光装置においては、例えば、導光体４下方の左右に複数の発光体６を配置した場合、この導光体４上面の操作体３の左右外周は明るいが、その中間の前後方向の箇所は暗いといった照光ムラが生じ易く、これを防ぐには発光体６を四つ或いは六つと、さらに多く配置する必要があるため、構成部品が増え、製作にも時間を要して高価なものになるという課題があった。
【００１２】
本発明は、このような従来の課題を解決するものであり、簡易な構成で、均一な照光が可能な照光装置を提供することを目的とする。
【課題を解決するための手段】
【００１３】
上記目的を達成するために本発明は、以下の構成を有するものである。
【００１４】
本発明の請求項１に記載の発明は、略筒状の導光体内に挿入された操作体の下方外周に、反射部を設けて照光装置を構成したものであり、発光体によって操作体下方の反射部外周全体が照光され、この光が反射して導光体の外周全体を照光するため、発光体の数が少なくても導光体上面の照光ムラが生じ難く、簡易な構成で、均一な照光が可能な照光装置を得ることができるという作用を有する。
【００１５】
請求項２に記載の発明は、請求項１記載の発明において、反射部を凹凸状に形成したものであり、導光体を照光する反射部の表面積が増えるため、さらに均一な照光を行うことができるという作用を有する。
【発明の効果】
【００１６】
以上のように本発明によれば、簡易な構成で、均一な照光が可能な照光装置を実現することができるという有利な効果が得られる。
【発明を実施するための最良の形態】
【００１７】
以下、本発明の実施の形態について、図１〜図３を用いて説明する。
【００１８】
なお、背景技術の項で説明した構成と同一構成の部分には同一符号を付して、詳細な説明を簡略化する。
【００１９】
（実施の形態）
図１は本発明の一実施の形態による照光装置の断面図、図２は同部分分解斜視図であり、同図において、１は紙フェノールやガラス入りエポキシ等の配線基板で、この上下面には銅箔等によって複数の導電パターン（図示せず）が形成されると共に、上面には回転または押圧操作型のスイッチや可変抵抗器等の、回転または押圧操作型の電子部品２が実装されている。
【００２０】
そして、１３は透明または乳白色等の光透過性でＡＢＳやポリアセタール等の絶縁樹脂製の操作体で、この上方には黒色や暗灰色等の暗色の塗装によって覆われた暗色部１３Ａが、下方外周には光透過性の樹脂が露出した反射部１３Ｂが各々形成されると共に、操作体１３の下面中央部が電子部品２の上方へ突出する可動軸２Ａに装着されている。
【００２１】
また、４は略筒状の光透過性でアクリルやポリカーボネート等の絶縁樹脂製の導光体で、この導光体４内に操作体１３が回転または上下動可能に挿入され、操作体１３外周を導光体４が覆っている。
【００２２】
さらに、導光体４がねじ等によってケース５に取付けられると共に、導光体４下方の配線基板１上面には、発光ダイオード等の複数の発光体６が左右に配置されて照光装置が構成されている。
【００２３】
そして、このような照光装置は車室内のフロントパネル部に装着されると共に、電子部品２や発光体６が配線基板１を介して、オーディオやエアコン等の各種電子機器や、自動車の電子回路（図示せず）に電気的に接続される。
【００２４】
以上の構成において、操作体１３を回転または押圧操作すると、可動軸２Ａが回転または上下動して電子部品２が電気的に動作し、例えば、オーディオの音量やエアコンの温度等の切換えが行われる。
【００２５】
また、この時、左右の発光体６が発光し、この光が導光体４を通って操作体１３の外周を照光するが、操作体１３の下方外周は光透過性の樹脂が露出した反射部１３Ｂとなっているため、この下方の反射部１３Ｂ全体が照光し、この光が反射して導光体４の下方外周全体を照光することによって、発光体６の数が少なくとも左右に加え、その中間の前後方向の箇所も均一に照光され、操作体１３外周をムラなく照光できるように構成されている。
【００２６】
このように本実施の形態によれば、略筒状の導光体４内に挿入された操作体１３の下方外周に、反射部１３Ｂを設けて照光装置を構成することによって、発光体６により反射部１３Ｂ外周全体が照光され、この光が反射して導光体４の外周全体を照光するため、発光体６の数が少なくても、操作体１３外周の均一な照光が可能な照光装置を得ることができるものである。
【００２７】
なお、以上の説明では操作体１３を、光透過性の絶縁樹脂の上方を暗色に塗装して暗色部１３Ａを設けると共に、下方外周に光透過性の樹脂を露出させて反射部１３Ｂを形成したものとして説明したが、図３の部分断面図に示すように、黒色や暗灰色等の暗色の絶縁樹脂によって上方に暗色部１４Ａを形成し、下方外周に透明や乳白色等の光透過性の絶縁樹脂によって反射部１４Ｂを形成した操作体１４としても、本発明の実施は可能である。
【００２８】
また、これら反射部１３Ｂや１４Ｂを凹凸状に形成することによって、導光体４を照光する反射部１３Ｂや１４Ｂの表面積が増えるため、さらに明るく均一な照光を行うことができる。
【００２９】
さらに、以上の説明では、反射部１３Ｂや１４Ｂを透明や乳白色等の光透過性のものとして説明したが、例えば銀色等の、反射はするが不透光のものとしてもよい。
【産業上の利用可能性】
【００３０】
本発明による照光装置は、簡易な構成で、均一な照光が可能なものを実現することができ、主に自動車の音響や空調機器等の操作に用いられる照光装置等に有用である。
【図面の簡単な説明】
【００３１】
【図１】本発明の一実施の形態による照光装置の断面図
【図２】同部分分解斜視図
【図３】同部分断面図
【図４】従来の照光装置の断面図
【符号の説明】
【００３２】
１  配線基板
２  電子部品
２Ａ  可動軸
４  導光体
５  ケース
６  発光体
１３，１４  操作体
１３Ａ，１４Ａ  暗色部
１３Ｂ，１４Ｂ  反射部
【図１】
2005216798.tif 000003
【図２】
2005216798.tif 000004
【図３】
2005216798.tif 000005
【図４】
2005216798.tif 000006